(57)【特許請求の範囲】
【請求項１】
波形表示領域とファンクションメニュー表示領域に分割された表示画面と、エスケープキーとロータリーノブを含む複数の操作部を有する操作パネルとが設けられた波形測定器において、
操作パネルの操作に連動して、前記波形表示領域の縮小拡大および前記ファンクションメニュー表示領域の拡大縮小を制御する表示画面制御部と、
前記操作パネルで選択された操作部に対応するファンクションメニュー情報を格納するファンクションメニュー情報格納部を備え、
前記表示画面制御部は、
前記エスケープキーの操作に連動して波形表示領域を拡大させるとともに前記ファンクションメニュー表示領域を縮小させ、他の操作部の操作に連動して前記波形表示領域を縮小させるとともに前記ファンクションメニュー表示領域を拡大させ、
ファンクションメニュー表示領域のロータリーノブにより設定が行われる項目にはロータリーノブのアイコンを表示させ、
前記波形表示領域の拡大表示時に、前記ファンクションメニュー情報格納部に格納された情報に基づき操作対象となる操作部の情報を波形表示領域の近傍に表示することを特徴とする波形測定器。
【発明の詳細な説明】
【０００１】
【発明の属する技術分野】
本発明は、デジタルオシロスコープなどの波形測定器に関するものであり、詳しくは、表示画面の改善に関するものである。
【０００２】
【従来の技術】
一般に波形測定器では、波形を測定・解析するためのレコード長・測定回数・測定モードなどのさまざまなパラメータが存在する。
そこで、従来のある種の波形測定器では、例えばこれらのパラメータを機能毎に分類してそれぞれ操作パネルの対応する操作キーなどの操作部に割り当てておき、所定の操作部を操作することによって関連付けられたファンクションメニューを表示させて各パラメータが設定できるように構成されている。
【０００３】
図１１は、このような従来の波形測定器の一例を示す前面の構成説明図であり、４つの測定チャンネルの波形を表示できるデジタルオシロスコープの例を示している。波形測定器の前面には、表示画面１０と操作パネル２０の二つが設けられている。
【０００４】
表示画面１０は、波形表示領域１１とファンクションメニュー表示領域１２に分割されている。操作パネル２０には、ファンクションキー、エスケープキー、測定チャンネル選択キー、メニュー選択キー、測定レンジ設定キー、ロータリーノブなどを含む複数の操作部が設けられている。
【０００５】
このような構成において、例えば測定チャンネル選択キーＣＨ１を押すことにより、ファンクションメニュー表示領域１２には選択された測定チャンネルＣＨ１の設定項目に対応したファンクションメニューが表示される。図１１では、ファンクションメニューとして、選択された測定チャンネルＣＨ１の波形表示のオン・オフを設定する「Display」、波形表示位置を設定する「Position」、入力結合を設定する「Coupling」、接続するプローブを設定する「Probe」、波形表示のオフセット量を設定する「Offset」、測定帯域幅を設定する「Bandwidth」の６つと、次のファンクションメニュー画面を選択するための「Next」を示している。ここで、「Position」と「Offset」の設定にあたってはロータリーノブRKを操作することから、それらの項目にはロータリーノブＲＫのアイコンも表示している。
【０００６】
ファンクションメニュー表示領域１２の表示内容は、操作パネル２０の所定の操作部を操作することにより切り換わる。
【０００７】
そして、図１１のようにファンクションメニュー表示領域１２にファンクションメニュー画面を表示している状態でエスケープキーを押すことにより、図１２に示すようにファンクションメニュー表示領域１２のファンクションメニュー画面の表示は消える。
【０００８】
【発明が解決しようとする課題】
ところで、このような波形測定器では、測定条件の設定などの操作設定状態ではファンクションメニュー表示領域１２をわかりやすく表示させ、通常の測定状態においては表示画面１０における波形表示領域１１をできるだけ広くすることが望まれている。
【０００９】
また、波形測定器の表示器として用いる液晶パネルの解像度がVGA(640*480)からSVGA(800*600)へと高くなるのに伴って、波形をより広い表示領域で精度よく表示させたいという要望も強くなっている。
【００１０】
そこで、操作パネル２０に波形表示モード切換キーを設け、通常は表示画面１０に波形表示領域１１とファンクションメニュー表示領域１２を同時に表示させておいて、オペレータがこの波形表示モード切換キーを操作した場合にはファンクションメニュー表示領域１２を消して波形表示領域１１を拡大させることも行われている。
【００１１】
しかし、このような構成によれば、操作キーが増えるとともに、操作が煩雑になるという問題がある。
【００１２】
また、ファンクションメニュー表示領域１２が消えてしまうと、操作パネル２０のどの操作部が操作可能なのかを識別できなくなり、操作性が損なわれてしまうという問題もある。
【００１３】
本発明は、これらの問題点を解決するものであり、その目的は、簡単な操作で波形表示領域の縮小拡大とファンクションメニュー表示領域の拡大縮小またはオンオフ切換が行え、ファンクションメニュー表示領域が表示されていない状態でも操作パネル中の操作可能な操作部が識別できる波形測定器を提供することにある。
【００１９】
【課題を解決するための手段】
この様な目的を達成するために、請求項１記載の発明は、
波形表示領域とファンクションメニュー表示領域に分割された表示画面と、エスケープキーとロータリーノブを含む複数の操作部を有する操作パネルとが設けられた波形測定器において、
操作パネルの操作に連動して、前記波形表示領域の縮小拡大および前記ファンクションメニュー表示領域の拡大縮小を制御する表示画面制御部と、
前記操作パネルで選択された操作部に対応するファンクションメニュー情報を格納するファンクションメニュー情報格納部を備え、
前記表示画面制御部は、
前記エスケープキーの操作に連動して波形表示領域を拡大させるとともに前記ファンクションメニュー表示領域を縮小させ、他の操作部の操作に連動して前記波形表示領域を縮小させるとともに前記ファンクションメニュー表示領域を拡大させ、
ファンクションメニュー表示領域のロータリーノブにより設定が行われる項目にはロータリーノブのアイコンを表示させ、
前記波形表示領域の拡大表示時に、前記ファンクションメニュー情報格納部に格納された情報に基づき操作対象となる操作部の情報を波形表示領域の近傍に表示する。
【００２０】
これにより、ファンクションメニュー表示領域が表示されていない状態でも操作パネル中の操作対象となる操作可能な操作部が識別できる。
【００２１】
【発明の実施の形態】
以下、本発明の実施の形態を図面に基づいて説明する。図１は本発明の実施の形態の一例を示す波形測定器の表示系統のブロック図である。図１において、表示部１０と操作パネル２０は、表示画面制御部３０に接続されている。なお、表示画面制御部３０には、ファンクションメニュー情報格納部４０も接続されている。
【００２２】
このような構成の動作を、表示画面例を用いて説明する。
波形測定器の立ち上がり時、表示部１０は図２に示すように波形表示領域１１を横方向に拡大した画面を表示する。このとき、ファンクションメニュー表示領域１２は相対的に縮小されたりオフになり、図２の例ではオフになっている。
【００２３】
図２の状態において、操作パネル２０の操作部を構成するファンクション選択キーとして例えば測定チャンネルCH1を選択するキーを押すことにより、図３に示すように波形表示領域１１が縮小するとともにファンクションメニュー表示領域１２が拡大またはオンになり、このファンクションメニュー表示領域１２にファンクション選択キーCH1に対応したファンクションメニューを表示する。
【００２４】
図３の状態において、エスケープキーESCを押すと、図４に示すように図2と同様に波形表示領域１１は横方向に拡大され、ファンクションメニュー表示領域１２は相対的に縮小されたりオフになる。
【００２５】
そして、図３のファンクションメニューに特定の操作対象（例えばロータリーノブ）による設定項目が存在する場合には、ファンクションメニュー情報格納部４０に格納された情報に基づき操作対象となるロータリーノブによる設定項目情報（以下ノブメニューという）を波形表示領域１１の近傍に表示する。図３の例では測定チャンネルCH1の「Position」と「Offset」がノブメニューに対応しているので、図４ではこれら「Position」と「Offset」のノブメニュー１３が選択的に切換表示される。なお、ノブメニュー１３の切換表示は、SELECTキーを押すことにより逐次実行される。
【００２６】
図４の状態において、操作パネル２０の操作部を構成するファンクション選択キーとして例えば波形を拡大表示するズームキーZOOMを押すことにより、図５に示すように波形表示領域１１が縮小するとともにファンクションメニュー表示領域１２が拡大またはオンになり、このファンクションメニュー表示領域１２にズームキーZOOMに対応したファンクションメニューを表示する。
【００２７】
図５の状態において、エスケープキーESCを押すと、図６に示すように図2や図４と同様に波形表示領域１１は横方向に拡大され、ファンクションメニュー表示領域１２は相対的に縮小されたりオフになる。ここで、図５のファンクションメニューでは「Z1  Mag」と「Z1  Position」がノブメニューに対応しているので、ファンクションメニュー情報格納部４０に格納された情報に基づき、これら「Z1  Mag」と「Z1  Position」のノブメニュー１３が波形表示領域１１の近傍に選択的に切換表示される。
【００２８】
また、例えば図４や図６のようにファンクションメニューが表示されていない状態でSELECTキーといずれかのファンクション選択キーを同時に押すことにより、そのファンクション選択キーに対応するファンクションメニューがファンクションメニュー情報格納部に登録される。これにより、ファンクションメニューは表示せずにファンクションメニューが保持するノブメニューなどの操作パネル中の操作対象となる操作可能な操作部の情報を波形表示領域１１の近傍に表示させることができる。
【００２９】
表示画面制御部３０におけるこれらの動作の流れを、フローチャートを用いて説明する。
【００３０】
図７は、ファンクション選択キーが押された場合の処理の流れを示すフローチャートである。操作パネル２０のいずれかのファンクション選択キーが押されると、そのファンクション選択キーに関連するファンクションメニューを検索し（SP1）、該当するファンクションメニュー情報をメニュー情報格納部４０に格納する（SP2）。そして、このファンクションメニュー情報における操作対象となる操作可能な操作部の情報（例えばノブメニュー）の有無を判断し（SP3）、例えばノブメニューがあればそれを図示しない操作部情報格納部に格納する（SP4）。操作可能な操作部の情報の有無を判断した後、図３に示すように波形表示領域１１を縮小させ（SP5）、ファンクションメニュー表示領域１２にメニュー情報格納部４０に格納されているファンクションメニュー情報を表示させる（SP6）。
【００３１】
図８は、図３の状態においてエスケープキーESCが押された場合の処理の流れを示すフローチャートである。エスケープキーESCが押されると、その時点でファンクションメニュー表示領域１２に表示されているファンクションメニューを消去する（SP1）。そして、操作部情報格納部における例えば例えばノブメニューの有無を判断し（SP2）、格納されていればその情報を図４に示すように波形表示領域１１の近傍に表示させる（SP3）。ノブメニューの有無を判断した後、波形表示領域１１を拡大表示させる（SP4）。
【００３２】
図９は、セレクトキーSELECTが押された場合の処理の流れを示すフローチャートである。セレクトキーSELECTが押されると、その時点でファンクションメニュー表示領域１２にファンクションメニューが表示されているか否かを判断する（SP1）。ファンクションメニューが表示されていれば、そのまま通常の処理を実行する（SP2）。ファンクションメニューが表示されていなければ、現時点で波形表示領域１１の近傍に表示されているノブメニューと異なる他のノブメニューが現在のファンクションメニューに存在するか否かを判断し（SP3）、存在していればその情報を操作部情報格納部に格納して（SP4）、次のノブメニュー１３として表示させる（SP５）。
【００３３】
図１０は、セレクトキーSELECTとファンクション選択キーとが同時に押された場合の処理の流れを示すフローチャートである。セレクトキーSELECTとファンクション選択キーとが同時に押されると、その時点でファンクションメニュー表示領域１２にファンクションメニューが表示されているか否かを判断する（SP1）。ファンクションメニューが表示されていなければ、そのファンクション選択キーに関連するファンクションメニューを検索し（SP2）、該当するファンクションメニュー情報をメニュー情報格納部４０に格納する（SP3）。このファンクションメニュー情報における例えばノブメニューの有無を判断し（SP4）、ノブメニューの情報があればそれを図示しない操作部情報格納部に格納して（SP５）、波形表示領域１１の近傍にノブメニュー１３として表示させる（SP6）。他のノブメニューがなければ現時点で表示されているノブメニューを消去する（SP7）。
【００３４】
なお上記実施例では、操作パネル中の操作対象となる操作可能な操作部がロータリーノブの場合について説明したが、これに限るものではなく、例えばスライダースイッチやカーソルキーなどであってもよい。
【００３５】
【発明の効果】
以上説明したように、本発明によれば、簡単な操作で波形表示領域の縮小拡大とファンクションメニュー表示領域の拡大縮小またはオンオフ切換が行え、ファンクションメニュー表示領域が表示されていない状態でも操作パネル中の操作対象となる操作可能な操作部が識別できる波形測定器を提供することができ、デジタルオシロスコープをはじめとする各種の波形測定器に好適である。
【図面の簡単な説明】
【図１】本発明の実施の形態の一例を示す波形測定器の表示系統のブロック図である。
【図２】本発明における表示画面例である。
【図３】本発明における他の表示画面例である。
【図４】本発明における他の表示画面例である。
【図５】本発明における他の表示画面例である。
【図６】本発明における他の表示画面例である。
【図７】ファンクション選択キーが押された場合の処理の流れを示すフローチャートである。
【図８】図３の状態においてエスケープキーESCが押された場合の処理の流れを示すフローチャートである。
【図９】セレクトキーSELECTが押された場合の処理の流れを示すフローチャートである。
【図１０】セレクトキーSELECTとファンクション選択キーとが同時に押された場合の処理の流れを示すフローチャートである。
【図１１】従来の波形測定器の一例を示す前面の構成説明図である。
【図１２】従来の波形測定器の他の表示画面例である。
【符号の説明】
１０  表示部
１１  波形表示領域
１２  ファンクションメニュー表示領域
１３  ノブメニュー
２０  操作パネル
３０  表示画面制御部
４０  ファンクションメニュー情報格納部
【図１】
0003804065.tif 000002
【図２】
0003804065.tif 000003
【図３】
0003804065.tif 000004
【図４】
0003804065.tif 000005
【図５】
0003804065.tif 000006
【図６】
0003804065.tif 000007
【図７】
0003804065.tif 000008
【図８】
0003804065.tif 000009
【図９】
0003804065.tif 000010
【図１０】
0003804065.tif 000011
【図１１】
0003804065.tif 000012
【図１２】
0003804065.tif 000013